(57)【特許請求の範囲】
【請求項１】
植物栽培建屋で、第一の誘引具〜第三の誘引具と支柱を利用し、かつこの建屋内で群生栽培する植物の茎幹の下方近傍、又は茎幹の上方近傍に設けたダクトと、このダクトに多数本接続した、その膜面に複数の吹出孔を開設したフレキシブル、又は折畳み式でなる分岐ダクトとを介して、前記建屋に群生する植物に、少なくとも空気を送風する建屋の局所送風装置において、
この植物の習性を基にし、前記第一の誘引具〜前記第三の誘引具を設置する構造であり、この第一の誘引具を、この植物の第一の葉の付け根の上と、前記支柱に遊嵌して設け、また、この第二の誘引具を、この植物の第二の葉の付け根の上に緩嵌し、前記分岐ダクトに、嵌着して設け、さらに、この第三の誘引具を、前記支柱に緩嵌し、前記分岐ダクトに、嵌着して設け、
この第一の誘引具〜第三の誘引具により、前記植物の成長と、前記分岐ダクトの移動とを同期する構成とした建屋の局所送風装置。
【請求項２】
植物栽培建屋で、第一の誘引具〜第三の誘引具と支柱を利用し、かつこの建屋内で群生栽培する植物の茎幹の下方近傍、又は茎幹の上方近傍に設けたダクトと、このダクトに多数本接続した、その膜面に複数の吹出孔を開設したフレキシブル、又は折畳み式でなる分岐ダクトとを介して、前記建屋に群生する植物に、少なくとも空気を送風する建屋の局所送風装置において、
前記植物の第一の葉の付け根の上と支柱とに遊嵌する前記第一の誘引具、又は前記植物の茎幹と支柱に遊嵌するとともに、地面に立設した支持杆に係止する前記第一の誘引具と、
前記植物の第二の葉の付け根の上に緩嵌して設けた一方の係止部を備えた前記第二の誘引具を設け、この第二の誘引具の他方の係止部を、前記分岐ダクトに嵌着し、この分岐ダクトの移動と、この植物の成長とを同期できる構造とし、
さらに、前記支柱に一方の係止部を遊嵌する前記第三の誘引具を設け、この第三の誘引具の他方の係止部を、前記分岐ダクトに嵌着し、この分岐ダクトの前記同期の際に、所定の位置で移動できる構造とし、
この分岐ダクトの吹出孔を、前記植物の花房、花実、又は前記第一、第二の葉の略横設位置に開設し、かつこの分岐ダクトの全長を、前記茎幹の成長の限界長さとする構成とした建屋の局所送風装置。
【請求項３】
請求項１、又は請求項２に記載の建屋の局所送風装置において、
前記分岐ダクトの吹出孔より噴射される、少なくとも空気は、風速が、毎秒０．８ｍから１．８ｍである構成とした建屋の局所送風装置。
【請求項４】
請求項１、又は請求項２に記載の建屋の局所送風装置において、
前記植物栽培建屋の内気と、外気とを混合して混合空気を生成し、この混合空気を、前記ダクトと、前記分岐ダクトに供給する構成とした建屋の局所送風装置。
【発明の詳細な説明】
【技術分野】
【０００１】
本発明は、トマト、胡瓜に最適な建屋（植物工場、ハウス等）の局所送風装置に関する。
【背景技術】
【０００２】
トマト、胡瓜等の植物に最適な、例えば、一般のハウス、その他の植物棚栽培用のハウス（建屋とする）の局所送風装置と、その送風機において、群落（密植）栽培のトマト株間局所送風（株間局所送風）で、トマト灰色かび病及び葉かび病の発病を抑制できることが知られている。例えば、「トマト株条間に配置したダクトチューブを使用し、株に局所的に送風することで、トマト灰色かび病や葉かび病の発病を効率的に抑制することができる。比較的小型の送風機での導入が可能なため、導入コストも低い。」と紹介されている。この株間局所送風は、従来の建屋全体の換気を図るシステム（従来換気システムとする）に対して、設備投資・ランニングコストの軽減化と、エコハウスとして有効であること、等の利点がある。
【０００３】
しかし、この株間局所送風は、設置に手間取ること、成長（生育）する植物に有効に対処するには、植物の各葉面、及び／又は、各付け根に向って、適切な距離から、常時、送風する必要があること、等から、ダクト、及び／又は、分岐ダクトの吹出孔の方向性に、細心の注意と、これを維持する装置が要求される。しかし、現実には、この要件を充足していないのが、現況である。また、建屋へのダクトの設置において、このダクトを、建屋の妻面に設置するに際し、簡易で、適切な手段がないのが現況である。従って、効果と特徴を備えた反面、普及していないことから、この課題と問題を解決するために、従来技術を、参照して説明する。
【０００４】
文献（１）としては、特開平５−３０８８５９の「農業用栽培ハウスの空調装置」であり、妻面に設置した空調ユニットであり、この空調ユニットは、仕切り板を設けてハウス内外に対応した部屋を区画し、このハウス外部屋に、凝縮器と圧縮機、並びにファンの空調機本体を設け、また、ハウス内部屋に、蒸発器とファンの空調機交換器を設け、このハウス内部屋に導入されるハウス内の空気を冷却し、ダクトを介して、ハウス内に冷気を供給する構造である。この発明は、ダクトを介して、冷気を、ハウス内に効率的に供給することを意図する。従って、ダクトを介して、冷気、即ち、送風できる。しかし、株間局所送風に関しては、十分とは云えない。換言すると、この発明は、従来換気システムと略同じ構造と効果の範疇と考えられる。また、この発明は、植物の成長に同期して、送風する構造でない。
【０００５】
また、文献（２）としては、特開平８−２８０２６９の「施設栽培用空調ダクト」であり、ハウス内の架台（棚）下の空間に、ダクトを配設し、このダクトに温冷風を供給するとともに、フィンを付設し、熱交換の効率化を図る構造である。従って、ダクトを介して、温冷気により、イチゴの温調が図れる。しかし、株間局所送風に関しては、十分とは云えない。換言すると、この発明は、従来換気システムと略同じ構造と効果の範疇と考えられる。また、この発明は、植物の成長に同期して、送風する構造でない。
【０００６】
さらに、文献（３）としては、特開２００６−２７１３１４の「培地冷却装置」であり、高設栽培用ベンチの脚間に、通気ダクトを配設し、この通気ダクトの開口部から、イチゴに直接吹き付ける構造であり、株間局所送風を意図する。また、培地冷却装置は、受皿（容器）と、この受皿に設けた培地を包む不織布で構成し、前記送風と併せて、培地の冷却を図る構造である。従って、設置の容易化と、低コスト化、並びに広範な設置等が図れる特徴がある。しかし、株間局所送風に関しては、一部は可能であるが、今だ、十分とは云えない。また、この発明は、植物の成長に同期して、送風する構造でない。
【０００７】
また、文献（４）としては、特開２００７−１８５１４７の「作物栽培用空調装置」であり、ハウスに設けた巻取部材に、吊下げ部材を介してダクトを支持し、この巻取部材の回転で、吊下げ部材を巻取り、巻戻すことで、前記ダクトを昇降する。この昇降を利用し、ダクトを作物間の適当な位置にセットし、このダクトから吹出される暖冷風を介して、作物に最適な温湿度調整を図りつつ、日射量の確保と、作業空間の確保を図る。しかし、ダクトが大径であることから、日射量の確保に問題があることが考えられる。また、この発明は、植物の成長に同期して、ダクトを上下動、及び送風する構造でない。
【０００８】
【特許文献１】特開平５−３０８８５９
【特許文献２】特開平８−２８０２６９
【特許文献３】特開２００６−２７１３１４
【特許文献４】特開２００７−１８５１４７
【発明の概要】
【発明が解決しようとする課題】
【０００９】
以上で説明した文献（１）〜（４）は、前述した如く、一長一短があり、改良の余地がある。殊に、株間局所送風に関しては、今だ、十分とは云えない。また、このダクトを、妻面に取付ける構造に関して、前記文献（１）が見当たるが、本発明が意図する送風機と、ダクトに関する文献は、調査の結果、好ましい文献は見当たらなかった。
【００１０】
上記に鑑み、本発明は、建屋の株間局所送風装置において、分岐ダクトの吹出孔の位置を、植物の成長と同期して移動し、常時、この吹出孔より、成長する植物（トマト株等）の花房、花実か、花房、花実の付け根、又は葉裏か、葉の付け根（花房か、又は葉の付け根とする）に送風（噴出）することで、この株間局所送風を最適化し、例えば、この株間局所送風のスムーズな流れと、微風の流れを介して、栽培植物に、最適な送風環境を維持すること、葉面における空気の流れ（葉裏の空気の滞留をなくす）、又は栽培植物の健全な生育環境維持と、収穫量の拡充化を図ること、等を意図する。そして、この株間局所送風装置の好ましい一例は、妻面に設けた送風機にダクトを接続し、ダクトに設けた分岐ダクトを、植物の株間と同じ間隔に設け、かつ分岐ダクトは、植物条間の下位展開葉の位置（高さ約４０ｃｍ）に設置し、花房か、又は葉の付け根の下側に向って送風する。例えば、その稼働時間は、２４時間の連続で、毎秒１〜１．５ｍ程度の送風を、花房か、又は葉の付け根にあてることで、少なくとも、湿度管理を図り、病害の発生抑制は植物体表面の環境条件改善ととともに、トマト灰色かび病、葉かび病、ベト病等の発病を抑制することを意図する。
【００１１】
また、本発明は、建屋の株間局所送風装置において、この建屋の妻面にファンと、シャッタを備えた送風機を、所定の位置に取付けることで、外部からの風雨の侵入防止と、また、この送風機に内気吸込口を介して、混合室を設けることで、外気と内気のミキシング（混合）を図り、植物に適した空気の供給と、換気の効率化が図れる送風機の構造を提供する。
【課題を解決するための手段】
【００１２】
請求項１の発明は、建屋の株間局所送風装置において、植物の習性を利用し、分岐ダクトと、支柱、並びに茎幹に設けた、第一の誘引具〜第三の誘引具を、１単位として、個別に緩嵌、嵌着等により係止し、この１単位を繰返して、この分岐ダクトと、支柱、並びに茎幹に、順次、設けることで、分岐ダクトの吹出孔の位置を、植物の成長と同期して移動可能とすることで、常時、この吹出孔より、成長する植物の花房か、又は葉の付け根に送風することで、この株間局所送風を最適化し、例えば、この株間局所送風のスムーズな流れと、微風の流れを介して、栽培植物に、最適な送風環境を維持すること、葉面における空気の流れ（葉裏の空気の滞留をなくす）、又は栽培植物の健全な生育環境維持と、収穫量の拡充化を図ること、等を意図する。そして、この請求項１の発明の株間局所送風装置では、妻面に設けた送風機にダクトを接続し、ダクトに設けた分岐ダクトを、植物（トマト株等）の株間と同じ間隔に設け、かつ分岐ダクトは、植物条間の下位展開葉の位置（高さ約４０ｃｍ）に設置し、花房か、又は葉の付け根の下側に向って送風し、この花房か、又は葉の付け根にあてることで、少なくとも、湿度管理を図り、病害の発生抑制は植物体表面の環境条件改善ととともに、トマト灰色かび病、葉かび病、ベト病等の発病を抑制することを意図する。
【００１３】
請求項１は、植物栽培建屋で、第一の誘引具〜第三の誘引具と支柱を利用し、かつこの建屋内で群生栽培する植物の茎幹の下方近傍、又は茎幹の上方近傍に設けたダクトと、このダクトに多数本接続した、その膜面に複数の吹出孔を開設したフレキシブル、又は折畳み式でなる分岐ダクトとを介して、前記建屋に群生する植物に、少なくとも空気を送風する建屋の局所送風装置において、
この植物の習性を基にし、前記第一の誘引具〜前記第三の誘引具を設置する構造であり、この第一の誘引具を、この植物の第一の葉の付け根の上と、前記支柱に遊嵌して設け、また、この第二の誘引具を、この植物の第二の葉の付け根の上に緩嵌し、前記分岐ダクトに、嵌着して設け、さらに、この第三の誘引具を、前記支柱に緩嵌し、前記分岐ダクトに、嵌着して設け、
この第一の誘引具〜第三の誘引具により、前記植物の成長と、前記分岐ダクトの移動とを同期する構成とした建屋の局所送風装置である。
【００１４】
請求項２の発明は、建屋の株間局所送風装置において、分岐ダクトの吹出孔の位置を、植物の成長と同期して移動し、常時、この吹出孔より、成長する植物の花房か、又は葉の付け根に送風することで、この株間局所送風を最適化し、例えば、この株間局所送風のスムーズな流れと、微風の流れを介して、栽培植物に、最適な送風環境を維持すること、葉面における空気の流れ（葉裏の空気の滞留をなくす）、又は栽培植物の健全な生育環境維持と、収穫量の拡充化を図ること、等を意図する。そして、この請求項２の発明の株間局所送風装置の好ましい一例は、妻面に設けた送風機にダクトを接続し、ダクトに設けた分岐ダクトを、植物の株間と同じ間隔に設け、かつ分岐ダクトは、植物条間の下位展開葉の位置に設置し、花房か、又は葉の付け根の下側に向って送風する。例えば、その稼働時間は、２４時間の連続で、毎秒１〜１．５ｍ程度の送風を、花房か、又は葉の付け根にあてることで、少なくとも、湿度管理を図り、病害の発生抑制は植物体表面の環境条件改善ととともに、トマト灰色かび病、葉かび病、ベト病等の発病を抑制することを意図する。さらに、この請求項２の発明は、分岐ダクトの昇降と、植物の成長とを同期することで、前記送風の他に、日射量の確保にも有効となり、品質（味と色、大きさ等）の向上と、収穫量の拡充と、病気の減少化等を図ること、等を意図する。
【００１５】
請求項２は、植物栽培建屋で、第一の誘引具〜第三の誘引具と支柱を利用し、かつこの建屋内で群生栽培する植物の茎幹の下方近傍、又は茎幹の上方近傍に設けたダクトと、このダクトに多数本接続した、その膜面に複数の吹出孔を開設したフレキシブル、又は折畳み式でなる分岐ダクトとを介して、前記建屋に群生する植物に、少なくとも空気を送風する建屋の局所送風装置において、
前記植物の第一の葉の付け根の上と支柱とに遊嵌する前記第一の誘引具、又は前記植物の茎幹と支柱に遊嵌するとともに、地面に立設した支持杆に係止する前記第一の誘引具と、
前記植物の第二の葉の付け根の上に緩嵌して設けた一方の係止部を備えた前記第二の誘引具を設け、この第二の誘引具の他方の係止部を、前記分岐ダクトに嵌着し、この分岐ダクトの移動と、この植物の成長とを同期できる構造とし、
さらに、前記支柱に一方の係止部を遊嵌する前記第三の誘引具を設け、この第三の誘引具の他方の係止部を、前記分岐ダクトに嵌着し、この分岐ダクトの前記同期の際に、所定の位置で移動できる構造とし、
この分岐ダクトの吹出孔を、前記植物の花房、花実、又は前記第一、第二の葉の略横設位置に開設し、かつこの分岐ダクトの全長を、前記茎幹の成長の限界長さとする構成とした建屋の局所送風装置である。
【００１６】
請求項３の発明は、請求項１、又は請求項２の目的を達成できること、そして、この目的を達成するに最適な、分岐ダクトから噴射する風速の選定を提供する。
【００１７】
請求項３は、請求項１、又は請求項２に記載の建屋の局所送風装置において、
前記分岐ダクトの吹出孔より噴射される、少なくとも空気は、風速が、毎秒０．８ｍから１．８ｍである構成とした建屋の局所送風装置である。
【００２０】
請求項４の発明は、請求項１、又は請求項２の目的を達成すること、そして、この局所送風装置に採用できる最適な、混合空気が生成できる構造を提供する。
【００２１】
請求項４は、請求項１、又は請求項２に記載の建屋の局所送風装置において、
前記植物栽培建屋の内気と、外気とを混合して混合空気を生成し、この混合空気を、前記ダクトと、前記分岐ダクトに供給する構成とした建屋の局所送風装置である。
【発明の効果】
【００２６】
請求項１の発明は、植物栽培建屋で、第一の誘引具〜第三の誘引具と支柱を利用し、かつ建屋内で群生栽培する植物の茎幹の下方近傍、又は茎幹の上方近傍に設けたダクトと、ダクトに多数本接続した、膜面に複数の吹出孔を開設したフレキシブル、又は折畳み式でなる分岐ダクトとを介して、建屋に群生する植物に、少なくとも空気を送風する建屋の局所送風装置において、
植物の習性を基にし、第一の誘引具〜第三の誘引具を設置する構造であり、第一の誘引具を、植物の第一の葉の付け根の上と、支柱に遊嵌して設け、また、第二の誘引具を、植物の第二の葉の付け根の上に緩嵌し、分岐ダクトに、嵌着して設け、さらに、第三の誘引具を、支柱に緩嵌し、分岐ダクトに、嵌着して設け、
第一の誘引具〜第三の誘引具により、植物の成長と、分岐ダクトの移動とを同期する構成とした建屋の局所送風装置である。
【００２７】
従って、請求項１は、建屋の株間局所送風装置において、植物の習性を利用し、分岐ダクトと、支柱、並びに茎幹に設けた、第一の誘引具〜第三の誘引具を、１単位として、個別に緩嵌、嵌着等により係止し、この１単位を繰返して、この分岐ダクトと、支柱、並びに茎幹に、順次、設けることで、分岐ダクトの吹出孔の位置を、植物の成長と同期して移動可能とすることで、常時、この吹出孔より、成長する植物の花房か、又は葉の付け根に送風することで、この株間局所送風を最適化し、例えば、この株間局所送風のスムーズな流れと、微風の流れを介して、栽培植物に、最適な送風環境が維持できること、葉面における空気の流れ、又は栽培植物の健全な生育環境維持と、収穫量の拡充化が図れること、等の特徴を有する。そして、この請求項１の株間局所送風装置では、妻面に設けた送風機にダクトを接続し、ダクトに設けた分岐ダクトを、植物の株間と同じ間隔に設け、かつ分岐ダクトは、植物条間の下位展開葉の位置に設置し、花房か、又は葉の付け根の下側に向って送風し、この花房か、又は葉の付け根にあてることで、少なくとも、湿度管理を図り、病害の発生抑制は植物体表面の環境条件改善が図れるとともに、トマト灰色かび病、葉かび病、ベト病等の発病を抑制できること、等の実益を有する。
【００２８】
請求項２の発明は、植物栽培建屋で、第一の誘引具〜第三の誘引具と支柱を利用し、かつ建屋内で群生栽培する植物の茎幹の下方近傍、又は茎幹の上方近傍に設けたダクトと、ダクトに多数本接続した、膜面に複数の吹出孔を開設したフレキシブル、又は折畳み式でなる分岐ダクトとを介して、建屋に群生する植物に、少なくとも空気を送風する建屋の局所送風装置において、
植物の第一の葉の付け根の上と支柱とに遊嵌する第一の誘引具、又は植物の茎幹と支柱に遊嵌するとともに、地面に立設した支持杆に係止する前記第一の誘引具と、
植物の第二の葉の付け根の上に緩嵌して設けた一方の係止部を備えた第二の誘引具を設け、第二の誘引具の他方の係止部を、分岐ダクトに嵌着し、分岐ダクトの移動と、植物の成長とを同期できる構造とし、
さらに、支柱に一方の係止部を遊嵌する第三の誘引具を設け、第三の誘引具の他方の係止部を、分岐ダクトに嵌着し、分岐ダクトの同期の際に、所定の位置で移動できる構造とし、
分岐ダクトの吹出孔を、植物の花房、花実、又は前記第一、第二の葉の略横設位置に開設し、かつ分岐ダクトの全長を、茎幹の成長の限界長さとする構成とした建屋の局所送風装置である。
【００２９】
従って、この請求項２は、建屋の株間局所送風装置において、分岐ダクトの吹出孔の位置を、植物の成長と同期して移動し、常時、この吹出孔より、成長する植物の花房に送風することで、この株間局所送風を最適化し、例えば、この株間局所送風のスムーズな流れと、微風の流れを介して、栽培植物に、最適な送風環境を維持できること、葉面における空気の流れ、又は栽培植物の健全な生育環境維持と、収穫量の拡充化が図れること、等の特徴を有する。そして、この請求項２の株間局所送風装置の好ましい一例は、妻面に設けた送風機にダクトを接続し、ダクトに設けた分岐ダクトを、植物の株間と同じ間隔に設け、かつ分岐ダクトは、植物条間の下位展開葉の位置に設置し、葉の付け根か、葉面、又は花房の下側に向って送風する。例えば、その稼働時間は、２４時間の連続で、毎秒１〜１．５ｍ程度の送風を、花房か、又は葉の付け根にあてることで、少なくとも、湿度管理を図り、病害の発生抑制は植物体表面の環境条件改善が図れるとともに、トマト灰色かび病、葉かび病、ベト病等の発病を抑制できる実益がある。さらに、この請求項２は、分岐ダクトの昇降と、植物の成長とを同期することで、前記送風の他に、日射量の確保にも有効となり、品質の向上と、収穫量の拡充と、病気の減少化等が図れる等の利点がある。
【００３０】
請求項３の発明は、請求項１、又は請求項２に記載の建屋の局所送風装置において、
分岐ダクトの吹出孔より噴射される、少なくとも空気は、風速が、毎秒０．８ｍから１．８ｍである構成とした建屋の局所送風装置である。
【００３１】
従って、この請求項３は、請求項１、又は請求項２の目的を達成できること、そして、この目的を達成するに最適な、分岐ダクトから噴射する風速を選定できる特徴がある。
【００３４】
請求項４の発明は、請求項１、又は請求項２に記載の建屋の局所送風装置において、
植物栽培建屋の内気と、外気とを混合して混合空気を生成し、混合空気を、ダクトと、分岐ダクトに供給する構成とした建屋の局所送風装置である。
【００３５】
従って、この請求項４は、請求項１、又は請求項２の目的を達成できること、そして、この局所送風装置に採用できる最適な、混合空気が生成できる構造を提供できること等の特徴を有する。
【図面の簡単な説明】
【００４０】
【図１−１】建屋内の地面に群生（密植）したトマト株の一本の茎幹を示し、かつその成長初期であって、株間局所送風を図る一部省略の第一実施例の要部の模式図
【図１−２】図１−１の状態より、トマト株の一本の茎幹が成長した状態における、株間局所送風を図る第一実施例の要部の模式図
【図１−３】第一実施例において、第一の誘引具を地面に設けた支持杆に係止した要部の模式図
【図１−４】第一実施例において、第一の誘引具を茎幹にフレキシブルに係止する状態の要部の模式図
【図１−５】第一実施例において、第一の誘引具を支柱にフレキシブルに係止する状態の要部の模式図
【図１−６】図１−４と図１−５のフレキシブル構造の一例を示した拡大俯瞰図
【図２−１】建屋内の棚に群生（密植）したトマト株の二本の茎幹を示し、かつダクトを棚下に配備した状態であって、しかもこのトマト株が成長した状態における、株間局所送風を図る第二実施例の要部の模式図
【図２−２】第二実施例の別の一例を示した要部の模式図
【図３−１】建屋内の棚に群生（密植）したトマト株の二本の茎幹を示し、かつダクトを棚上に配備した状態であって、しかもこのトマト株が成長した状態における、株間局所送風を図る第三実施例の要部の模式図
【図３−２】第三実施例の別の一例を示した要部の模式図
【図４】建屋の株間局所送風装置の送風機の側面模式図
【図５】図４の正面模式図
【図６】建屋の株間局所送風装置であって、送風機と、連結ダクト及び地面設置か、又は棚下設置のダクトとの関係を示した要部の側面模式図
【図７】建屋の株間局所送風装置であって、送風機と、棚上設置のダクトとの関係を示した要部の側面模式図
【発明を実施するための形態】
【００４１】
最初に、図１−１〜図１−６の建屋Ｈ内の地面栽培において、図中１は建屋Ｈの棟方向Ｘに向って延設したダクトで、このダクト１は、地面ＧＬに設けた支持部材３０（後述する）で、空間に支持されている。そして、このダクト１の一方の開口は、建屋Ｈの壁面に設ける。そして、このダクト１の建屋Ｈ内にある終端は閉塞されている。このダクト１の棟方向Ｘには、多数本の分岐ダクト２（フレキシブル、又は折畳み式の分岐ダクト２）を設ける。そして、この分岐ダクト２を設ける箇所は、建屋Ｈに群生される多数本のトマトＶ株の一本の茎幹Ｖ１に対応する位置で、その内側、外側等にそれぞれ設ける構造である。図中３は地面ＧＬに立設した支柱で、この支柱３は、トマトＶ株の一本の茎幹Ｖ１に対応して、それぞれ設けられる構造である。
【００４２】
そこで、このダクト１と、支柱３、並びに茎幹Ｖ１の連繋関係において、好ましい一例を、以下に説明する。
【００４３】
先ず、茎幹Ｖ１の第一の葉Ｖ３の付け根Ｖ４と支柱３を、横設（この横説とは、ＧＬと平行するように横方向に設けること）した第一の誘引具５で連繋する。この第一の誘引具５は、例えば、対の帯体５０と、この帯体５０を蝶着する蝶番部５１とで環状に形成され、その中心に差込み空間５２を有する構造である。この第一の誘引具５は、その空間５２を介して、前記の如く、茎幹Ｖ１の第一の葉Ｖ３の上と、支柱３との間に横設して（以下同じ）遊嵌する例に最適な構造で、例えば、この第一の誘引具５を、地面ＧＬに立設した伸縮する支持杆４に設ける例と（図１−３参照）、この第一の誘引具５を変更し、支柱３に挿嵌する挿嵌部５３と、茎幹Ｖ１を緩嵌する緩嵌部５４とでなる例と（図１−４参照）、或いは支柱３と、茎幹Ｖ１をともに緩嵌する緩嵌部５４とでなる例と（図１−５参照）とかが考えられる。いずれにしても、支柱３と茎幹Ｖ１を連繋する構造の第一の誘引具５であれば、その構造を問わない。尚、この挿嵌部５３は、支柱３に余裕をもって係止された状態で、この挿嵌部５３が、支柱３をガイドとして移動できる構造であり、例えば、緩嵌部５４が、茎幹Ｖ１とともに移動した場合に、当該挿嵌部５３の移動を確保するためである。また、この緩嵌部５４は、例えば、帯状の環部５４ａの自由端を重畳し、この自由端の重畳部に、ピン５４ｂと長孔５４ｃをそれぞれ設け、茎幹Ｖ１の成長で、太くなると、この環部５４ａを押圧（拡開）する。この押圧は、ピン５４ｂが、長孔５４ｃを移動することで、可能となる。また、環部５４ａに対する押圧がなくなると、環部５４ａは、最初の状態に戻る（縮径される）。また、緩嵌部５４は、スプリング、ゴム等の可撓性構造も考えられる。前述した、横設して第一の誘引具５を設けることで、この第一の誘引具５を、移動し易くすること、また、茎幹Ｖ１の成長に有効であること、この茎幹Ｖ１の遊嵌、挿嵌、緩嵌、又は支柱３の遊嵌、挿嵌か、後述する分岐ダクト２の嵌着、挿嵌（図示しない）が確保できること、等の特徴がある（以下同じ）。
【００４４】
次に、トマトＶ（花房）下方の茎幹Ｖ１と、分岐ダクト２を、横設した第二の誘引具６で連繋する。この第二の誘引具６は、例えば、茎幹Ｖ１の第二の葉Ｖ３の付け根Ｖ４の上と分岐ダクト２との間に設け、かつこの茎幹Ｖ１を緩嵌する一方の係止部６０と、分岐ダクト２に嵌着する他方の係止部６１で構成し、かつこの一方の係止部６０と他方の係止部６１を、紐６２（連繋具の一例である。紐は、以下、同じ）で連繋する構造である。そして、この一方の係止部６０が、トマトＶ株の成長と同期して、上方に移動可能とするとともに、この紐６２と、他方の係止部６１も同期する。即ち、トマトＶ株の成長に同期して、分岐ダクト２が引上げられる構造である。これにより、トマトＶ株が成長するとともに、分岐ダクト２に設けられた吹出孔２００と、茎幹Ｖ１のトマトＶと、葉Ｖ３の付け根Ｖ４とが同期する（同じ位置にある）。従って、常時、この茎幹Ｖ１のトマトＶと、葉Ｖ３の付け根Ｖ４に送風することが可能となる。尚、この緩嵌とは、茎幹Ｖ１の成長に同期した、自然と大きくなる構造であり、例えば、緩嵌部５４と同様の構造が考えられるが、スプリング、ゴム等の可撓性構造も可能である。
【００４５】
そして、支柱３と分岐ダクト２を、横設した第三の誘引具８で連繋する。この第三の誘引具８は、例えば、第一のトマトＶ株の近傍に設けられた支柱３に緩嵌する一方の係止部８０と、第一のトマトＶ株の近傍に設けられた分岐ダクト２に嵌着される他方の係止部８１で構成し、かつこの一方の係止部８０と他方の係止部８１を、紐８２で連繋する構造である。この分岐ダクト２が昇降するに際し、支柱３をガイドにして、分岐ダクト２がスムーズに移行できる構造とする。また、紐８２と、この一方の係止部８０と他方の係止部８１は、前記第二の誘引具６の紐６２、並びに一方の係止部６０と他方の係止部６１と同じ構造とする。また、図示しないが、支柱３に一方の係止部８０を嵌着し、分岐ダクト２に他方の係止部８１を緩嵌する形態も可能である。いずれにしても、分岐ダクト２が、支柱３をガイドにして、スムーズに移行できる構造であれば、別の構造も採用できる。尚、第二の誘引具６は、分岐ダクト２の上部先端と、茎幹Ｖ１の上部先端に設け、この茎幹Ｖ１の成長で、分岐ダクト２を同期して引上げる構造とする。
【００４６】
前記分岐ダクト２の吹出孔２００を設ける間隔は、トマトＶと、トマトＶの下で茎幹Ｖ１から生える葉Ｖ３との間隔Ｒと、略同じ長さ２００ａを持って開設し、かつ分岐ダクト２の全長２ａを、茎幹Ｖ１の成長の限界の長さＶ１ａとする構成である。これにより、必要とする、トマトＶと葉Ｖ３に対して、確実に送風し、その成長と、成長に最適な生育環境が確保できること、等の効果がある。また、第一の誘引具５〜第三の誘引具８の確実な役割と、第二の誘引具６の構造の簡易化と、茎幹Ｖ１の成長障害回避を図ること、分岐ダクト２に発生する荷重に対応すること、また、作業空間の確保を図ること、等がある。そして、本発明では、前述した第一の誘引具〜第三の誘引具５、６、８を、１単位として、トマトＶ株と、支柱３、並びに分岐ダクト２の所定の箇所に、順次、設けられる。従って、このトマトＶ株の例では、現場では、葉Ｖ３が二枚と、トマトＶが１個を単位として生育する（慣習化「習性」している）。この習性を基に、成長限において、前記第一の誘引具〜第三の誘引具５、６、８を、通常は、三段設ける構造である。
【００４７】
そして、この第一実施例においては、図１−１の如く、成長初期では、建屋Ｈ内の地面ＧＬに群生したトマトＶ株の一本の茎幹Ｖ１の葉Ｖ３か、又はその付け根Ｖ４に向かって、吹出孔２００より空気を噴射（噴出）する。この栽培後に、トマトＶ株が成長し、茎幹Ｖ１が伸びれば、これに同期し、第一の葉Ｖ３の付け根Ｖ４、及び第二の葉Ｖ３の付け根Ｖ４が上昇する。この各付け根Ｖ４の上昇で、第一の誘導具５か、その緩嵌部５４、及び第二の誘導具６の一方の係止部６０が引上げられるとともに、この第一の誘導具５、又はその挿嵌部５３、及び第二の誘導具６の他方の係止部６１も、紐６２により引上げられる。この第二の誘導具６の他方の係止部６１の引上げで、この他方の係止部６１に嵌着している分岐ダクト２を引上げる。尚、第一の誘引具５の図示しない支持部を、分岐ダクト２に、挿嵌か、嵌着し（図示せず）、かつ図１−４と、図１−５の構造とを採用することで、前記第一の誘引具５の上昇で、分岐ダクト２を引上げることも可能である。そして、この第一、第二の誘引具５、６による引上げは、分岐ダクト２の引上げ（同期）に有効である。
【００４８】
この分岐ダクト２の引上げにより、トマトＶと、葉Ｖ３か、又はその付け根Ｖ４に向かって、吹出孔２００より空気を噴射できる。そして、この引上げと、トマトＶ株の成長は、第一の誘引具５と、第三の誘引具８が障害とならない。即ち、第一の誘引具５は、遊嵌等であり、また、第三の誘引具８の一方の係止部８０は、支柱３に緩嵌され、また、他方の係止部８１は、分岐ダクト２に嵌着された構造である。尚、その後は、図１−２の如く、トマトＶ株が成長した段階においても、分岐ダクト２の吹出孔２００より空気は、茎幹Ｖ１のトマトＶか、又はその付け根と、葉Ｖ３か、又はその付け根Ｖ４に向かって噴射される構造を必要とする、このトマトＶと、葉Ｖ３か、又はその付け根Ｖ４に向かって、常時、送風されることが特徴であり、かつ本発明のポイントである。以上のようにして、トマトＶの収穫が終了した際には、第一の誘引具５〜第三の誘引具８の取外しと、分岐ダクト２の折畳み等の収縮と、支柱３の取外し等の収容、次の準備作業で終了する。尚、分岐ダクト２の吹出孔２００より空気及び／又はエチレンガス、ＣＯ２等のガス、或いは後述する混合空気を噴射することもあり得る。
【００４９】
次に、図２−１は、トマトＶ株の棚下栽培方式において、分岐ダクト２は、建屋Ｈに群生される多数本のトマトＶ株の一本の茎幹Ｖ１に対応する位置で、その外側にそれぞれ設ける。この第二実施例においても、基本的な構造は、前述した第一実施例に準ずる。そして、この例では、分岐ダクト２は、入れ子方式で伸縮する構造を提示しているが、一例である。また、養液栽培の配管１０と供給管１１を示している。図中１２は培地を示す。尚、図２−２は、分岐ダクト２に枝ダクト２−１を設け、この枝ダクト２−１に吹出孔２００を設けた構造であり、茎幹Ｖ１のトマトＶと、葉Ｖ３か、又はその付け根Ｖ４等に向かって、近距離から噴射される実益と、効率化がある。
【００５０】
また、図３−１は、トマトＶ株の棚上栽培方式において、分岐ダクト２は、建屋Ｈに群生される多数本のトマトＶ株の一本の茎幹Ｖ１に対応する位置で、その内側にそれぞれ設ける。この第三実施例においても、基本的な構造は、前述した第一・第二実施例に準ずる。そして、この例では、分岐ダクト２は、トマトＶ株の成長限度の長さを確保しており、このトマトＶ株の成長に同期して、分岐ダクト２を引上げる。この引上げは、第二の誘引具６を利用する。尚、図３−２は、前記図２−１に準ずる。
【００５１】
図４〜図６において、１５は送風機であり、この送風機１５の一例を説明すると、この送風機１５は、建屋Ｈの妻面Ｈ１（壁面）の躯体ＨＨで、かつその地面ＧＬ近傍か、図示の如く、地面ＧＬより距離Ｂ（虫、又は害獣の侵入防止用の距離Ｂ）を持って形成されている取付け口Ｈ２に設けたケーシング１６と、このケーシング１６の吸込口１６００から、排気口１６０１に向って、順次、設けたシャッタ１７と、ファン１８用のモータ２０、及びファン１８とで構成されている。そして、この排気口１６０１の外径１６０１ａには、この外径１６０１ａに整合する内径を備え、かつ先下がり傾斜する（人と物の往来のため）連結ダクト１００を連繋し、この連結ダクト１００の先下がり部位に、この建屋Ｈ内地面ＧＬに近接して設けたダクト１を連繋する。そして、この排気口１６０１の外径１６０１ａは、ケーシング１６の外径１６ａより小径に形成する。この排気口１６０１の外形１６０１ａを小径とすることで、遠方までの送風を図り、送風の整流にも役立つこと（内外の空気の混合時に有効である）、又は設置の簡便化と、コストの低廉化等に役立つこと、等の実益がある。そして、このケーシング１６の吸込口１６００の一面（上面が建屋の導入が図れて、望ましい）に内気吸込口１６００ａと、この内気吸込口１６００ａに蓋２２を設ける。そして、この内気吸込口１６００ａを設けることで、例えば、このケーシング１６の吸込口１６００側を混合室１６０２として活用する。即ち、この混合室１６０２に、建屋内暖気を、内気吸込口１６００ａの開放時（蓋２２の開放時）に導入し、かつ外気を、吸込口１６００の開放時（シャッタ１７の開放時）に導入し、この内外気を混合し（混合空気の生成）、建屋Ｈ内に調合した暖気、又は冷気（温度）、或いは湿度を、トマトＶ株に供給できる実益がある。また、この内気吸込口１６００ａを、ケーシング１６の上面に設けることで、例えば、建屋Ｈ内の暖気の導入が容易となり、かつ建屋Ｈ内の平均の暖気を利用できること、等の利点があること、又は前記の調温湿の生成に役立つこと、等が考えられる。図中２３は、送風機１５の吸込側に設けた防虫ネットを示す。尚、ダクト１は、支持部材３０を適宜間隔に設け、建屋Ｈ内地面ＧＬより浮かせた状態で設置し、湿気の付着を少なくすること、又は結露防止等を図り、また、汚染、冷気、劣化防止等に役立てる。
【００５２】
この実施例では、送風機１５のシャッタ１７の開放と、ファン１８の駆動を介して、取付け口Ｈ２からケーシング１６に設けた混合室１６０２（必要時「建屋内暖気吸込み時」に作用する）を通過し、その後、吸込口１６００に到る。この虫等の含まれない外気、又は混合空気を、ケーシング１６の排気口１６０１より傾斜した連結ダクト１００を介して、建屋Ｈ内のダクト１に送風する。そして、このダクト１に、その敷設後に差込み連結した多数本の分岐ダクト２に送り、この分岐ダクト２のそれぞれの吹出孔２００より、茎幹Ｖ１のトマトＶと、葉Ｖ３の付け根Ｖ４に向って噴射する構造である。これにより、前述の特徴を発揮できる。尚、ダクト１か、分岐ダクト２の何れかに、逆止弁等を設け、送風のコントロールと、送風箇所の限定と切替等の制御をすることも可能である。例えば、疫病の発生が多い箇所、虫の溜り場等への送風を繰りこと、また栽培状況に適合させること、等が考えられる。
【００５３】
また、図７に示した送風機１５は、原則として、前述の図４、図５の送風機１５と同じであるが、この実施例では、建屋Ｈの妻面Ｈ１の躯体ＨＨの略真中に設けた取付け口Ｈ２に設けられる構造であるが、その他は前述の例に準ずる。
【００５４】
尚、各実施例において、トマトＶ株の棚栽培、又は路地栽培を示したが、本発明の建屋Ｈ内の地面、又は棚栽培方法における建屋Ｈの株間局所送風方法は、誘引線９を用いて栽培するその他の植物、例えば、胡瓜、ピーマン、ナス等の農作物、花栽培においても有効である。
【符号の説明】
【００５５】
１            ダクト
１００        連結ダクト
２            分岐ダクト
２−１        枝ダクト
２ａ          全長
２００        吹出孔
２００ａ      長さ
３            支柱
４            支持杆
５            第一の誘引具
５０          帯体
５１          蝶番部
５２          空間
５３          挿嵌部
５４          緩嵌部
５４ａ        環部
５４ｂ        ピン
５４ｃ        長孔
６            第二の誘引具
６０          一方の係止部
６１          他方の係止部
６２          紐
８            第三の誘引具
８０          一方の係止部
８１          他方の係止部
８２          紐
９            誘引線
１０          配管
１１          供給管
１２          培地
１５          送風機
１６          ケーシング
１６ａ        外径
１６００      吸込口
１６００ａ    内気吸込口
１６０１      排気口
１６０１ａ    外径
１６０２      混合室
１７          シャッタ
１８          ファン
２０          モータ
２２          蓋
２３          防虫ネット
３０          支持部材
Ｂ            距離
Ｈ            建屋
ＨＨ          躯体
ＨＨＨ        ビニールフィルム
Ｈ１          妻面
Ｈ２          取付け口
Ｒ            間隔
Ｖ            トマト
Ｖ１          茎幹
Ｖ１ａ        長さ
Ｖ３          葉
Ｖ４          付け根
ＧＬ          地面
Ｘ            棟方向
【図１−１】
0005435717.tif 000002
【図１−２】
0005435717.tif 000003
【図１−３】
0005435717.tif 000004
【図１−４】
0005435717.tif 000005
【図１−５】
0005435717.tif 000006
【図１−６】
0005435717.tif 000007
【図２−１】
0005435717.tif 000008
【図２−２】
0005435717.tif 000009
【図３−１】
0005435717.tif 000010
【図３−２】
0005435717.tif 000011
【図４】
0005435717.tif 000012
【図５】
0005435717.tif 000013
【図６】
0005435717.tif 000014
【図７】
0005435717.tif 000015